【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
放送マルチメディア・コンテントをモニタリングする方法であって、
(a)  マルチメディア・ソース・コンテントを受信する工程と、
(b)  ソース・コンテントに関連した識別情報を生成する工程と、
(c)  前記識別情報を前記マルチメディア・ソース・コンテントのオーディオ成分に感知されずにかつ繰り返して埋め込む工程と、
(d)  前記識別情報を中央貯蔵部に転送する工程と、
(e)  埋め込みがされたマルチメディア・コンテントをひとつ以上の放送ネットワークを介して伝送する工程と、
を含む方法。
【請求項２】
さらに、
(f)  伝送されたマルチメディア・コンテントを受信する工程と、
(g)  識別情報を抽出するために、前記受信したマルチメディア・コンテントを処理する工程と、
を含む、請求項１に記載の方法。
【請求項３】
検出能メトリクスが、前記埋め込み工程の成功を評価することにより形成され、検出能メトリクスは識別情報とともに、中央貯蔵部へと転送される、請求項１または２に記載の方法。
【請求項４】
前記埋め込み工程が時間および周波数領域の両方で繰り返される、請求項１ないし３のいずれかに記載の方法。
【請求項５】
埋め込まれた情報の多数のコピーがマルチメディア・モニタリングの信頼性を改良するために抽出される、請求項２に記載の方法。
【請求項６】
埋め込まれた情報の多数のコピーが、識別情報が埋め込まれたマルチメディア・コンテントの持続期間を見積もるために抽出される、請求項２に記載の方法。
【請求項７】
前記多数のコピーが、複数の伝送チャネルから受信したマルチメディア・コンテントから抽出される、請求項５または６に記載の方法。
【請求項８】
埋め込みがされたマルチメディア・コンテントが、少なくともひとつの地上放送チャネルにわたって伝送される、請求項１ないし７のいずれかに記載の方法。
【請求項９】
前記抽出された識別情報が、
(i)  放送広告コンテント、
(ii)  放送音楽コンテント、
(iii)  放送テレビまたはラジオ番組コンテント、
の少なくともひとつを識別するために使用される、請求項２に記載の方法。
【請求項１０】
埋め込まれた情報のコピーが、伝送されたマルチメディア・コンテントから抽出され、
抽出されたコピーの間の間隔が、連続する符号化されたマルチメディア・クリップの境界を見積もるために使用される、請求項１ないし９のいずれかに記載の方法。
【請求項１１】
伝送されたマルチメディア・コンテントが受信され、
モニタリングの有効性が、受信した伝送または伝送チャネルの少なくともひとつの質の尺度を与えるために、受信したチャネルの特徴を測定することにより高められる、請求項１ないし１０のいずれかに記載の方法。
【請求項１２】
検出能メトリクスが、検出リポートの信頼性を改良するために、モニタリング・サイトで使用される、請求項１ないし１１のいずれかに記載の方法。
【請求項１３】
識別情報が、検出能メトリクスに基づいて修正された埋め込み強度とともに再度埋め込み可能である、請求項１ないし１２のいずれかに記載の方法。
【請求項１４】
伝送チャネルにある障害のタイプおよび内容が、前記チャネルで運ばれた、埋め込みされたマルチメディア・コンテントから抽出された情報の質に基づいて識別される、請求項１ないし１３のいずれかに記載の方法。
【請求項１５】
前記埋め込みたされたマルチメディア・コンテントの複合伝送の多数の原点が区別される、請求項１ないし１４のいずれかに記載の方法。
【請求項１６】
前記多数の原点が、
(i)  ネットワークを構成したテレビ放送のローカル放送の一区切り、
(ii)  ネットワークを構成したテレビ放送の地域放送の一区切り、
(iii)  ネットワークを構成したテレビ放送の国内放送の一区切り、
(iv)  インターネット・ストリームにおいて、間に挿入された広告、
の少なくともひとつからなる、請求項１５に記載の方法。
【請求項１７】
工程(f)のマルチメディア・コンテントの伝送前に、マルチメディア・コンテントが妥当な透かしの存在について調べられる、請求項２に記載の方法。
【請求項１８】
埋め込まれた透かしの妥当性が、埋め込まれた識別情報をデータベースにある情報に対して証明することにより確かめられる、請求項１７に記載の方法。
【請求項１９】
放送マルチメディア・コンテントをモニタリングするシステムであって、
(a)  マルチメディア・ソース・コンテントを受信する受信器と、
b)  ソース・コンテントに関連した識別情報を生成する識別情報生成手段と、
(c)  前記識別情報を前記マルチメディア・ソース・コンテントのオーディオ成分に感知されずにかつ繰り返して埋め込む埋め込み器と、
(d)  前記識別情報を中央貯蔵部に転送する転送手段と、
(e)  埋め込みがされたマルチメディア・コンテントをひとつ以上の放送ネットワークを介して放送する伝送器と、
・  前記放送されたマルチメディア・コンテントを受信する受信手段と、
(g)  識別情報を抽出するために、受信した放送マルチメディア・コンテントを処理するプロセッサと、
を含むマルチメディア・モニタリングシステム。
【請求項２０】
前記埋め込みの成功を評価することにより検出能メトリクスを形成する透かし評価手段と、前記検出能メトリクスを前記識別情報とともに、中央貯蔵部に転送する転送手段とを、さらに含む、請求項１９に記載のマルチメディア・モニタリングシステム。
【請求項２１】
前記埋め込みが時間および周波数領域の両方で繰り返される、請求項１９または２０に記載のマルチメディア・モニタリングシステム。
【請求項２２】
埋め込まれた情報の多数のコピーがマルチメディア・モニタリングの信頼性を改良するために抽出される、請求項１９ないし２１のいずれかに記載のマルチメディア・モニタリングシステム。
【請求項２３】
埋め込まれた情報の多数のコピーが、識別情報が埋め込まれたマルチメディア・コンテントの持続期間を見積もるために抽出される、請求項１９ないし２２のいずれかに記載のマルチメディア・モニタリングシステム。
【請求項２４】
前記多数のコピーが、複数の伝送チャネルから受信したマルチメディア・コンテントから抽出される、請求項２３に記載のマルチメディア・モニタリングシステム。
【請求項２５】
放送マルチメディア・コンテントのための少なくともひとつの伝送チャネルが地上放送チャネルである、請求項１９ないし２４のいずれかに記載のマルチメディア・モニタリングシステム。
【請求項２６】
前記抽出された識別情報が、
(i)  放送広告コンテント、
(ii)  放送音楽コンテント、
(iii)  放送テレビまたはラジオ番組コンテント、
の少なくともひとつを識別するために使用される、請求項１９ないし２５のいずれかに記載のマルチメディア・モニタリングシステム。
【請求項２７】
埋め込まれた情報の抽出されたコピーの間の間隔が、連続する符号化されたマルチメディア・クリップの境界を見積もるために使用される、請求項１９ないし２６のいずれかに記載のマルチメディア・モニタリングシステム。
【請求項２８】
モニタリングの有効性が、受信した伝送または伝送チャネルの少なくともひとつの質の尺度を与えるために、受信したチャネルの特徴を測定することにより高められる、請求項１９ないし２７のいずれかに記載のマルチメディア・モニタリングシステム。
【請求項２９】
検出能メトリクスが、検出リポートの信頼性を改良するために、モニタリング・サイトで使用される、請求項１９ないし２８のいずれかに記載のマルチメディア・モニタリングシステム。
【請求項３０】
識別情報が、検出能メトリクスに基づいて修正された埋め込み強度とともに再度埋め込み可能である、請求項１９ないし２９のいずれかに記載のマルチメディア・モニタリングシステム。
【請求項３１】
放送マルチメディア・コンテントのための伝送チャネルにある障害のタイプおよび内容が、埋め込みされたマルチメディア・コンテントから抽出された情報の質に基づいて識別される、請求項１９ないし３０のいずれかに記載のマルチメディア・モニタリングシステム。
【請求項３２】
前記埋め込みされたマルチメディア・コンテントの複合伝送の多数の原点が区別される、請求項１９ないし３１のいずれかに記載のマルチメディア・モニタリングシステム。
【請求項３３】
前記多数の原点が、
(i)  ネットワークを構成したテレビ放送のローカル放送の一区切り、
(ii)  ネットワークを構成したテレビ放送の地域放送の一区切り、
(iii)  ネットワークを構成したテレビ放送の国内放送の一区切り、
(iv)  インターネット・ストリームにおいて、間に挿入された広告、
の少なくともひとつからなる、請求項３２に記載のマルチメディア・モニタリングシステム。
【請求項３４】
工程(f)のマルチメディア・コンテントの伝送前に、マルチメディア・コンテントが妥当な透かしの存在について調べられる、請求項１９ないし３３のいずれかに記載のマルチメディア・モニタリングシステム。
【請求項３５】
埋め込まれた透かしの妥当性が、埋め込まれた識別情報をデータベースにある情報に対して証明することにより確かめられる、請求項３４に記載のマルチメディア・モニタリングシステム。
【請求項３６】
識別情報をマルチメディア・コンテントのオーディオ成分にリアルタイムで埋め込む装置であって、
前記コンテントのオーディオ成分とビデオ成分を分離するオーディオ・ビデオ分離器と、
オーディオ成分に、識別情報を感知されずにかつ繰り返して埋め込むオーディオ透かし埋め込み器と、
ビデオフレームと対応するオーディオ成分との間の同期が維持されるように、ビデオ成分と埋め込まれたオーディオ成分とを組み合わせるオーディオ・ビデオ組み合わせ器と、
含む装置。
【請求項３７】
アナログ・デジタル変換器が、埋め込み前に前記オーディオ成分をデジタル形式に変換するために使用され、デジタル・アナログ変換器が、前記埋め込みの後にオーディオ成分をアナログ形式に戻すために使用される、請求項３６に記載の装置。
【請求項３８】
多数のオーディオ成分が埋め込まれる、請求項３６または３７に記載の方法。